(57)【要約】【課題】利用者が力を加えずに位置を容易に調整できるエアバッグ調整式按摩椅子を提供する。【解決手段】下ケースと、前記下ケースの上方に設けられるエアポンプと、前記下ケースに設けられ、前記エアポンプに接続されるエア弁と、前記エア弁に接続されるエアバッグと、前記下ケースに対向するように設けられ、その底面には、互いに対向する、第１支持部と、第２支持部と、が設けられ、前記第１支持部と前記第２支持部との自由端には、按摩椅子押付面がそれぞれ連接され、前記按摩椅子押付面が前記エアバッグに対向する按摩椅子と、を含む。【選択図】図１
0003168247.tif 000002
【実用新案登録請求の範囲】
【請求項１】
下ケースと、
前記下ケースの上方に設けられるエアポンプと、
前記下ケースに設けられ、前記エアポンプに接続されるエア弁と、
前記エア弁に接続されるエアバッグと、
前記下ケースに対向するように設けられ、その底面には、互いに対向する、第１支持部と、第２支持部と、が設けられ、前記第１支持部と前記第２支持部との自由端には、按摩椅子押付面がそれぞれ連接され、前記按摩椅子押付面が前記エアバッグに対向する按摩椅子と、
を含むことを特徴とするエアバッグ調整式按摩椅子。
【請求項２】
前記下ケースの底面は、一端に押付ブロックが設けられ、他端に摺動具が設けられ、前記下ケースの上面に支持プラットフォームが設けられ、前記エアバッグは前記支持プラットフォームと前記按摩椅子押付面の間に設けられることを特徴とする、請求項１に記載のエアバッグ調整式按摩椅子。
【請求項３】
前記按摩椅子が前記下ケースに枢着され、前記下ケースには、互いに対向するＵ字形枢着部が二つ設けられ、前記Ｕ字形枢着部は挿入空間を有し、前記按摩椅子の底面に枢着部が成形され、前記下ケースの前記挿入空間に前記枢着部が収容され、前記按摩椅子は、座当り部と、前記座当り部と連接する背当り部と、を含み、前記枢着部は前記座当り部の前記背当り部に近接する箇所に成形され、前記第１支持部の長さは前記第２支持部の長さよりも短いことを特徴とする、請求項２に記載のエアバッグ調整式按摩椅子。
【請求項４】
前記下ケースの前記Ｕ字形枢着部と、前記按摩椅子の前記枢着部とには、互いに対応する枢着穴がそれぞれ設けられ、前記Ｕ字形枢着部と前記枢着部との前記枢着穴に枢着具を挿入することにより、前記下ケースと前記按摩椅子とが枢着されることを特徴とする、請求項３に記載のエアバッグ調整式按摩椅子。
【請求項５】
前記エア弁は前記下ケースの前記支持プラットフォームの下方に設けられることを特徴とする、請求項２に記載のエアバッグ調整式按摩椅子。
【請求項６】
更に、前記下ケースの周縁に対応するように成形される上ケースを含み、前記上ケースは、支持プラットフォーム通過穴と、二つのＵ字形枢着部通過穴と、を有し、前記上ケースは前記下ケースを覆うように設けられ、前記支持プラットフォームは前記支持プラットフォーム通過穴を挿通し、前記各Ｕ字形枢着部は前記Ｕ字形枢着部通過穴を挿通し、前記エアポンプは前記上ケースと前記下ケースの間に位置することを特徴とする、請求項３に記載のエアバッグ調整式按摩椅子。
【請求項７】
前記第１支持部の長さは前記第２支持部の長さと同じであることを特徴とする、請求項１に記載のエアバッグ調整式按摩椅子。
【考案の詳細な説明】
【技術分野】
【０００１】
本考案は、エアバッグ調整式按摩椅子に関し、特に、椅子の位置を調整する装置に関するものである。
【背景技術】
【０００２】
従来の按摩椅子は、按摩の目的を達成する他、異なる利用の需要に応じて、按摩椅子の座当り部と背当り部の開角を調整できるようにする。しかしながら、従来の按摩椅子は、座当り部と背当り部の開角の調整、又は座当り部の高さの調整が複雑なレバー機構によるため、生産コストが増加する他、組立作業の工数が増加し、そして調整の動作は利用者に快適な感じを与えることができない問題があった。
【考案の概要】
【考案が解決しようとする課題】
【０００３】
本考案の主な目的は、利用者が力を加えずに位置を容易に調整できるエアバッグ調整式按摩椅子を提供することにある。
【課題を解決するための手段】
【０００４】
本考案のエアバッグ調整式按摩椅子によると、下ケースと、
前記下ケースの上方に設けられるエアポンプと、
前記下ケースに設けられ、前記エアポンプに接続されるエア弁と、
前記エア弁に接続されるエアバッグと、
前記下ケースに対向するように設けられ、その底面には、互いに対向する、第１支持部と、第２支持部と、が設けられ、前記第１支持部と前記第２支持部との自由端には、按摩椅子押付面がそれぞれ連接され、前記按摩椅子押付面が前記エアバッグに対向する按摩椅子と、
を含むことを特徴とする。
【０００５】
本考案のエアバッグ調整式按摩椅子によると、前記下ケースの底面は、一端に押付ブロックが設けられ、他端に摺動具が設けられ、前記下ケースの上面に支持プラットフォームが設けられ、前記エアバッグは前記支持プラットフォームと前記按摩椅子押付面の間に設けられることを特徴とする。
【０００６】
本考案のエアバッグ調整式按摩椅子によると、前記按摩椅子が前記下ケースに枢着され、前記下ケースには、互いに対向するＵ字形枢着部が二つ設けられ、前記Ｕ字形枢着部は挿入空間を有し、前記按摩椅子の底面に枢着部が成形され、前記下ケースの前記挿入空間に前記枢着部が収容され、前記按摩椅子は、座当り部と、前記座当り部と連接する背当り部と、を含み、前記枢着部は前記座当り部の前記背当り部に近接する箇所に成形され、前記第１支持部の長さは前記第２支持部の長さよりも短いことを特徴とする。
【０００７】
本考案のエアバッグ調整式按摩椅子によると、前記下ケースの前記Ｕ字形枢着部と、前記按摩椅子の前記枢着部とには、互いに対応する枢着穴がそれぞれ設けられ、前記Ｕ字形枢着部と前記枢着部との前記枢着穴に枢着具を挿入することにより、前記下ケースと前記按摩椅子とが枢着されることを特徴とする。
【０００８】
本考案のエアバッグ調整式按摩椅子によると、前記エア弁は前記下ケースの前記支持プラットフォームの下方に設けられることを特徴とする。
【０００９】
本考案のエアバッグ調整式按摩椅子によると、更に、前記下ケースの周縁に対応するように成形される上ケースを含み、前記上ケースは、支持プラットフォーム通過穴と、二つのＵ字形枢着部通過穴と、を有し、前記上ケースは前記下ケースを覆うように設けられ、前記支持プラットフォームは前記支持プラットフォーム通過穴を挿通し、前記各Ｕ字形枢着部は前記Ｕ字形枢着部通過穴を挿通し、前記エアポンプは前記上ケースと前記下ケースの間に位置することを特徴とする。
【００１０】
本考案のエアバッグ調整式按摩椅子によると、前記第１支持部の長さは前記第２支持部の長さと同じであることを特徴とする。
【考案の効果】
【００１１】
本考案のエアバッグ調整式按摩椅子によれば、利用者が力を加えずに位置を容易に調整できるという効果を有する。
【図面の簡単な説明】
【００１２】
【図１】本考案の一実施例の構造を示す分解斜視図である。
【図２】本考案の一実施例の組合済み状態を示す斜視図である。
【図３】本考案の一実施例の組合済み状態を示す断面図であって、エアバッグにエアを注入していない。
【図４】本考案の一実施例の組合済み状態を示す断面図であって、エアバッグにエアを注入した。
【考案を実施するための形態】
【００１３】
以下、本考案の実施の形態を図面に基づいて説明する。
まず、図１乃至図４を参照する。本考案の一実施例のエアバッグ調整式按摩椅子は、下ケース１０と、エアポンプ２０と、エア弁３０と、エアバッグ４０と、上ケース５０と、按摩椅子６０と、を含む。
【００１４】
下ケース１０の底面は、一端に押付ブロック１１が設けられ、他端に摺動具１２が設けられる。下ケース１０の上面には、支持プラットフォーム１３と、互いに対向する二つのＵ字形枢着部１４と、が設けられる。Ｕ字形枢着部１４は挿入空間１４１を有する。Ｕ字形枢着部１４に枢着穴が設けられる。
エアポンプ２０は下ケース１０の上方に設けられる。
【００１５】
エア弁３０は、下ケース１０に設けられ、エアポンプ２０に接続される。エア弁３０は下ケース１０の支持プラットフォーム１３の下方に設けられる。
【００１６】
エアバッグ４０は、下ケース１０の支持プラットフォーム１３の上方に設けられ、一面が支持プラットフォーム１３と接触する。エア弁３０にエアバッグ４０が接続される。
【００１７】
上ケース５０は、下ケース１０の周縁に対応するように成形され、支持プラットフォーム通過穴５１と、二つのＵ字形枢着部通過穴５２と、を有する。上ケース５０は下ケース１０を覆うように設けられる。支持プラットフォーム１３は支持プラットフォーム通過穴５１を挿通し、各Ｕ字形枢着部１４はＵ字形枢着部通過穴５２を挿通する。エアポンプ２０は上ケース５０と下ケース１０の間に位置する。
【００１８】
按摩椅子６０は、下ケース１０に対向するように設けられる。本実施例では、按摩椅子６０が下ケース１０に枢着される。按摩椅子６０は、座当り部６１と、座当り部６１と連接する背当り部６２と、を含む。座当り部６１の背当り部６２に近接する箇所に枢着部６１１が成形される。下ケース１０のＵ字形枢着部１４と按摩椅子６０の枢着部６１１との枢着穴は互いに対応する。座当り部６１の底面には、互いに対向する、第１支持部６１２と、第２支持部６１３と、が設けられる。本実施例では、第１支持部６１２の長さは第２支持部６１３の長さよりも短い。第２支持部６１３は按摩椅子６０の背当り部６２に近接する。第１支持部６１２と第２支持部６１３との自由端には、按摩椅子押付面６１４がそれぞれ連接される。下ケース１０のＵ字形枢着部１４の挿入空間１４１に枢着部６１１が収容される。枢着具１４２により下ケース１０と按摩椅子６０とが枢着される。按摩椅子６０の按摩椅子押付面６１４はエアバッグ４０の他面に向いている。このように、エアバッグ４０は支持プラットフォーム１３と按摩椅子押付面６１４の間に位置する。按摩椅子押付面６１４は、第１支持部６１２と、長さが第１支持部６１２と相違する第２支持部６１３とに連接されるため、平常時に、按摩椅子６０は傾斜状態にある。もちろん、需要によって、第１支持部６１２と第２支持部６１３との長さを同じようにしてもよい。そうすると、エアバッグ４０にエアを注入し、又は漏れ出すことにより、按摩椅子６０は下ケース１０に対して鉛直に昇降でき、すなわち、按摩椅子６０の高さを調整することができる。
【００１９】
次に、本考案の使用方法を説明する。まず、利用者は按摩椅子６０に座って按摩を行う。なお、按摩椅子６０の傾斜角度を調整したい場合には、エアポンプ２０を起動してエア弁３０を制御することにより、エアバッグ４０にエアを注入する。エアバッグ４０にエアを注入していない初期状態は図３で示した。エアバッグ４０にエアを注入しているときには、エアバッグ４０が膨張して按摩椅子押付面６１４に押付けて、按摩椅子６０が傾斜する。按摩椅子６０が希望の傾斜角度になったときには、利用者はエアポンプ２０を停止する。これにより、按摩椅子６０の傾斜角度を変化することができる。本考案のエアバッグ調整式按摩椅子の下ケース１０の底面に押付ブロック１１と摺動具１２とが設けられるため、置きたい場所に本考案のエアバッグ調整式按摩椅子を安定に放置することができ、そして移動も可能であり、極めて便利である。
【００２０】
上記の説明から明らかなように、本考案の構造が極めて簡単であり、エアバッグ４０に押付ける按摩椅子押付面６１４の両側にある支持部６１２、６１３の長さが異なることにより、初期状態では、座当り部６１が傾斜する。エアバッグ４０にエアを注入して、エアバッグ４０が按摩椅子押付面６１４に押付けることにより、按摩椅子６０の傾斜角度を調整でき、そして傾斜角度を調整する過程が極めて順調である。本考案の構造が極めて簡単であるため、材料コストを減少でき、そして組立作業の工数を減少できる。なお、第１支持部６１２と第２支持部６１３との長さを同じようにする場合には、エアバッグ４０にエアを注入し、又は漏れ出すことにより、按摩椅子６０は下ケース１０に対して鉛直に昇降でき、すなわち、按摩椅子６０の高さを調整することができる。
【産業上の利用可能性】
【００２１】
本考案は、按摩椅子に適用することができる。
【符号の説明】
【００２２】
１０：下ケース
１１：押付ブロック
１２：摺動具
１３：支持プラットフォーム
１４：Ｕ字形枢着部
２０：エアポンプ
３０：エア弁
４０：エアバッグ
５０：上ケース
５１：支持プラットフォーム通過穴
５２：Ｕ字形枢着部通過穴
６０：按摩椅子
６１：座当り部
６２：背当り部
１４１：挿入空間
１４２：枢着具
６１１：枢着部
６１２：第１支持部
６１３：第２支持部
６１４：按摩椅子押付面
【図１】
0003168247.tif 000003
【図２】
0003168247.tif 000004
【図３】
0003168247.tif 000005
【図４】
0003168247.tif 000006